(57)【要約】【課題】安価な構成で、ステッピングモータの結露を防止することができる空気調和機を提供する。【解決手段】熱交換された空気を吹き出す吹出口７と、前記吹出口７に配置され空気の上下方向の向きを変える複数枚の風向上下羽根１を有し、前記複数枚の風向上下羽根１は、上下羽根軸受け２を介してステッピングモーター４と連結して取り付けられるとともに、両端に配した連結桟３により、一体的に上下へ連動可能に接合され、前記ステッピングモーター４側の前記連結桟３の大きさを、他側のそれより大きくしたもので、ステッピングモーター４側への冷気の漏れを防止し、ステッピングモーター４での結露を防止することができ、また、余分な部品を追加すること無く、片側の連結桟を大きくするだけなので、樹脂材料費や、組み立て工数、組み立て時間の低減となり、安価に構成することが出来る。【選択図】図１
2010266119.tif 000002
【特許請求の範囲】
【請求項１】
熱交換された空気を吹き出す吹出口と、前記吹出口に配置され空気の上下方向の向きを変える複数枚の風向上下羽根を有し、前記複数枚の風向上下羽根は、上下羽根軸受けを介してステッピングモーターと連結して取り付けられるとともに、両端に配した連結桟により、一体的に上下へ連動可能に接合され、前記ステッピングモーター側の前記連結桟の大きさを、他側のそれより大きくしたことを特徴とする空気調和機。
【請求項２】
ステッピングモーター側のみにさらに複数の連結桟を配置することを特徴とする請求項１に記載の空気調和機。
【発明の詳細な説明】
【技術分野】
【０００１】
本発明は、空気調和機に関するもので、特に、空気調和機の室内機の風向上下羽根に関するものである。
【背景技術】
【０００２】
従来のこの種の空気調和機として、図６、７に示されるようなものがある。図６は、従来の空気調和機の室内機の正面図と要部拡大斜視図、図７は、同室内機の要部拡大正面図である。
【０００３】
図６及び図７において、従来の空気調和機の室内機１０１の冷房運転時、空気吹出口１０２の近傍で、上下羽根１０３を駆動するステッピングモーター１０４の結露を防止するために、図６に示すように、冷気が漏れる上下羽根軸１０５と空気吹出口１０２の左右に設けた穴状の軸受け１０６とのクリアランスをつめるか、ステッピングモーター１０４を断熱材で冷気から遮断するようにしていた。
【０００４】
また、図７に示すように、風量安定のためには、その都度断熱材１０８等を貼り付けてよどみを無くしていた（例えば、特許文献１参照）。
【先行技術文献】
【特許文献】
【０００５】
【特許文献１】特開２００１−１２４４０２号公報
【発明の概要】
【発明が解決しようとする課題】
【０００６】
しかしながら、上記従来の空気調和機の構成においては、次のような課題があった。
【０００７】
まず、上下羽根軸１０５と軸受け１０６のクリアランスを詰めると、上下羽根１０３の駆動時の摩擦を増大させ駆動が困難になる可能性がある。また、ステッピングモーター１０４を断熱材で冷気から遮断するのに、スペース上の制約を受け、部品点数を増加させてしまう。
【０００８】
また、上下羽根１０３の左右の空気吹出口１０２との隙間を小さくすると、上下羽根１０３と空気吹出口１０２が当たる可能性が増加する。
【０００９】
また、風量安定のための断熱材１０８の貼り付けは、部品点数及び貼り付け工数を増加させると共に、作業者に熟練度が要求され、空気調和機の製造コストが上がる。
【００１０】
本発明は、上記従来の課題に鑑みてなされたものであり、上下羽根軸と軸受けとのクリアランスを詰めることなく、またステッピングモーター周りを空間を大きくしたり、部品点数を増大させることなくステッピングモーターの結露を防止することができ、また、従来のような複数の断熱材貼り付け作業に対する作業者の熟練度が要求されず、ばらつきを防止し、安定した品質の確保と、工数の低減を図ることができる空気調和機を提供することを目的とする。
【課題を解決するための手段】
【００１１】
上記従来の課題を解決するために、本発明の空気調和機は、熱交換された空気を吹き出す吹出口と、前記吹出口に配置され空気の上下方向の向きを変える複数枚の風向上下羽根
を有し、前記複数枚の風向上下羽根は、上下羽根軸受けを介してステッピングモーターと連結して取り付けられるとともに、両端に配した連結桟により、一体的に上下へ連動可能に接合され、前記ステッピングモーター側の前記連結桟の大きさを、他側のそれより大きくしたもので、ステッピングモーター側への冷気の漏れを防止し、ステッピングモーターでの結露を防止することができる。また、余分な部品を追加すること無く、片側の連結桟を大きくするだけなので、樹脂材料費や、組み立て工数、組み立て時間の低減となり、安価に構成することが出来る。
【発明の効果】
【００１２】
本発明の空気調和機は、ステッピングモーター側の連結桟のみ大きな形状としたことにより、上下羽根軸と軸受けとのクリアランスを詰めることなく、またステッピングモーター周りを空間を大きくしたり、部品点数を増大させることなくステッピングモーターの結露を防止することができる。さらに、片側だけ連結桟の形状を大きくすることで樹脂材料費の低減となるため安価に空気調和機を構成することができる。
【図面の簡単な説明】
【００１３】
【図１】本発明の実施の形態１における空気調和機の室内機の空気吹出口の左部分を拡大した斜視図
【図２】同空気吹出口の左部分を拡大した斜視図
【図３】同室内機の連結桟拡大図（ステッピングモータ側）
【図４】同室内機の連結桟拡大図（ステッピングモータと逆側）
【図５】本発明の実施の形態２における空気調和機の室内機の空気吹出口の左部分を拡大した斜視図
【図６】（ａ）従来の空気調和機の室内機の正面図、（ｂ）同空気調和機の要部拡大斜視図
【図７】同室内機の要部拡大正面図
【発明を実施するための形態】
【００１４】
第１の発明は、熱交換された空気を吹き出す吹出口と、前記吹出口に配置され空気の上下方向の向きを変える複数枚の風向上下羽根を有し、前記複数枚の風向上下羽根は、上下羽根軸受けを介してステッピングモーターと連結して取り付けられるとともに、両端に配した連結桟により、一体的に上下へ連動可能に接合され、前記ステッピングモーター側の前記連結桟の大きさを、他側のそれより大きくしたもので、ステッピングモーター側への冷気の漏れを防止し、ステッピングモーターでの結露を防止することができる。また、余分な部品を追加すること無く、片側の連結桟を大きくするだけなので、樹脂材料費や、組み立て工数、組み立て時間の低減となり、安価に構成することが出来る。
【００１５】
第２の発明は、特に、第１の発明のステッピングモーター側のみにさらに複数の連結桟を配置するもので、複数の連結桟により、ステッピングモーター側への冷気の漏れを更に低減し、ステッピングモーターでの結露を確実に防止することができる。
【００１６】
以下、本発明の実施の形態について、図面を参照しながら説明する。なお、この実施の形態によって本発明が限定されるものではない。
【００１７】
（実施の形態１）
図１は、本発明の実施の形態１における空気調和機の室内機の空気吹出口の左部分を拡大した斜視図、図２は、同空気吹出口の左部分を拡大した斜視図、図３は、同室内機の連結桟拡大図（ステッピングモータ側）、図４は、同室内機の連結桟拡大図（ステッピングモータと逆側）である。
【００１８】
図１〜４において、１は、空気の上下方向の向きを変える風向上下羽根、２は、風向上下羽根１に設けられた上下羽根軸受け、３は、複数の風向上下羽根１を接合している連結桟、４は、上下羽根軸受け２に具備した風向上下羽根１を駆動するステッピングモーター、５は、ステッピングモーター４を固定している吹出グリル、６は、吹出グリル５の左右に設けた穴状の軸受け、７は、熱交換された空気を吹き出す吹出口である。風向上下羽根１は、吹出口７に配置されている。
【００１９】
冷房運転時、吹出口７を流れる冷気が上下羽根軸受け２と、穴状の軸受け６の隙間から漏れるとステッピングモーター４が冷却され結露が生じる。そこで、本実施の形態では、図３、４に示すようにステッピングモーター４側だけ連結桟３の形状を大きくしている。これにより、冷気の漏れを防止し、ステッピングモーター５での結露を防止することができる。また、片側だけ連結桟３の形状を大きくするだけなので、樹脂材料費の低減となり、安価に風向上下羽根１を構成することができる。
【００２０】
さらに、断熱材等の材料や貼り付け作業のための工数が不要となり、安価にまた短時間で構成することができる。
【００２１】
（実施の形態２）
図５は、本発明の実施の形態２における空気調和機の室内機の空気吹出口の左部分を拡大した斜視図である。尚、上記実施の形態１における空気調和機と同一部分には、同一符号を付してその説明を省略する。
【００２２】
本実施の形態における空気調和機は、図５に示すように、複数の風向上下羽根１を接合する連結桟３を、ステッピングモーター４側に複数設けたものである。
【００２３】
本実施の形態は、以上のように、連結桟３が、ステッピングモーター４側に複数設けられているので、ステッピングモーター４側への冷気の漏れを更に低減し、ステッピングモーターでの結露を確実に防止することができる。また、断熱材等の材料や貼り付け作業に対する工数が不要となり、安価にまた短時間で構成することができると共に、風量を安定させ、風のよどみを無くすことができる。
【産業上の利用可能性】
【００２４】
以上のように、本発明に係る空気調和機は、安価な構成で、ステッピングモーターの結露を防止することができると共に、従来のような複数の断熱材貼り付け作業に対する作業者の熟練度が要求されず、ばらつきを防止した安定した品質の確保と、工数の低減を図ることができるもので、家庭用、業務用の各種空気調和機に適用できる。
【符号の説明】
【００２５】
１  風向上下羽根
２  上下羽根軸受け
３  連結桟
４  ステッピングモーター
５  吹出グリル
６  軸受け
７  吹出口
【図１】
2010266119.tif 000003
【図２】
2010266119.tif 000004
【図３】
2010266119.tif 000005
【図４】
2010266119.tif 000006
【図５】
2010266119.tif 000007
【図６】
2010266119.tif 000008
【図７】
2010266119.tif 000009